(57)【要約】  本発明は、電子注文処理手段およびこの電子注文処理手段によって制御される処理機を備えた、文書を作成して発送するための装置に関する。処理機は、印刷機および機械発送準備手段を備えている。この方式で作成される文書の高度の個性を可能にするために、局所的に有効な文書作成手段が、印刷機と機械発送準備手段との間に配設されている。【選択図】      図１
2014531988.tif 000002
【特許請求の範囲】
【請求項１】
電子注文処理システム、および前記電子注文処理システムによって作動され、かつ印刷機および機械発送準備システムを備えた処理機を用いて平面製品、特に文書または印刷物を作成して発送するための装置であって、
前記印刷機が、局所能動および／または静止文書作成システムを備えることを特徴とする、装置。
【請求項２】
前記印刷機が、別の印刷装置を備え、かつ前記局所能動および／または静止文書作成システムが、前記別の印刷装置と前記機械発送準備システムとの間に配設されていることを特徴とする、請求項１に記載の装置。
【請求項３】
前記印刷機および前記機械発送準備システムが、平面製品を特定の注文に割り当てる割り当て手段を有することを特徴とする、請求項１または２に記載の装置。
【請求項４】
前記機械発送準備システムが、好ましくは、局所能動および／または静止文書作成システムの形態である封筒記入装置を備えることを特徴とする、請求項１〜３のいずれか１項に記載の装置。
【請求項５】
前記文書作成システムが、ベクトル作動器具制御システムを備えることを特徴とする、請求項１〜４のいずれか１項に記載の装置。
【請求項６】
前記文書作成システムが、三次元器具制御システムを備えることを特徴とする、請求項１〜５のいずれか１項に記載の装置。
【請求項７】
実質的に一次元で能動な器具が、前記三次元器具制御システムに配設されていることを特徴とする、請求項６に記載の装置。
【請求項８】
前記一次元で能動な器具が、スタイラス、筆、ペン、ナイフ、スプレーヘッド、および／またはスタンプであることを特徴とする、請求項７に記載の装置。
【請求項９】
前記文書作成システムが、器具マガジンを備えることを特徴とする、請求項１〜８のいずれか１項に記載の装置。
【請求項１０】
前記文書作成システムが、エンボス加工ステーションを備えることを特徴とする、請求項１〜９のいずれか１項に記載の装置。
【請求項１１】
写真記録システムが、前記文書作成システムの領域またはその後に配設されていることを特徴とする、請求項１〜１０のいずれか１項に記載の装置。
【請求項１２】
前記文書作成システムが、少なくとも２つの同一に構成された処理装置を備えることを特徴とする、請求項１〜１１のいずれか１項に記載の装置。
【請求項１３】
電子注文処理システムによって作動され、かつ少なくとも２つの処理装置を備えた処理機を用いて平面製品、特に文書または印刷物を作成するための装置であって、
前記２つの処理装置がそれぞれ同一であり、かつ／または２つの異なる局所能動および／または静止文書作成システムであることを特徴とする、装置。
【請求項１４】
前記２つの同一の局所能動および／または静止文書作成システムが、デュアルストリームモードで作動されることを特徴とする、請求項１３に記載の装置。
【請求項１５】
分配器が、入口と２つの処理ステーションとの間、特に印刷機と前記２つの処理ステーションとの間に配設されていることを特徴とする、請求項１２〜１４のいずれか１項に記載の装置。
【請求項１６】
前記２つの処理装置が、共通の入口および／または共通の出口を有することを特徴とする、請求項１２〜１５のいずれか１項に記載の装置。
【請求項１７】
電子注文処理システム、および前記電子注文処理システムによって作動され、かつ少なくとも２つの処理装置を備えた処理機を用いて平面製品、特に文書または印刷物を作成して発送するための装置であって、インターフェイスが、前記電子注文処理システムと顧客との間に配設されており、
前記インターフェイスが、少なくとも２つのパラメータベクトルを持つパラメータ行列を含み、前記２つのパラメータベクトルのうちの第１のパラメータベクトルが、前記平面製品または前記文書の第１の処理命令のためのパラメータを含み、前記２つのパラメータベクトルのうちの第２のパラメータベクトルが、前記平面製品または前記文書の第２の処理命令のためのパラメータを含むことを特徴とする、装置。
【請求項１８】
前記パラメータが、原稿、透かし、スタンプ、エンボス加工、穴あけ、香料、便箋、封筒、写真、または広告のための処理命令を含むことを特徴とする、請求項１７に記載の装置。
【請求項１９】
前記２つのパラメータベクトルが、様々な処理ステップのための少なくとも１つの異なる処理命令を有することを特徴とする、請求項１７または１８に記載の装置。
【請求項２０】
前記様々なプロセスステップが、印刷命令であることを特徴とする、請求項１９に記載の装置。
【請求項２１】
前記２つのパラメータベクトルの前記第１のパラメータベクトルが、前記２つの処理装置のうちの第１の処理装置の作動のための処理命令を有し、前記２つのパラメータベクトルの前記第２のパラメータベクトルが、前記２つの処理装置のうちの第２の処理装置の作動のための処理命令を有することを特徴とする、請求項１７〜２０のいずれか１項に記載の装置。
【請求項２２】
平面製品、特に文書または印刷物を作成して発送するための方法であって、前記製品、特に前記文書または前記印刷物が、電子注文データ記録に基づいて少なくとも１つの郵便センターで作成され、発送の準備が行われ、次いで発送され、顧客が、電子注文データ記録をインターフェイスによって前記郵便センターに送達することができ、
前記平面製品が、少なくとも二次元で移動できる実質的に一次元で能動な器具を用いて前記郵便センターで処理されることを特徴とする、方法。
【請求項２３】
前記一次元で能動な器具が、スタイラス、筆、ペン、ナイフ、スプレーヘッド、またはスタンプであることを特徴とする、請求項２２に記載の方法。
【請求項２４】
平面製品、特に文書または印刷物を作成して発送するための方法であって、前記製品、特に前記文書または前記印刷物が、電子注文データ記録に基づいて少なくとも１つの郵便センターで作成され、発送の準備が行われ、次いで発送され、顧客が、電子注文データ記録をインターフェイスによって前記郵便センターに送達することができ、
前記平面製品が、機械的に記入されることを特徴とする、方法。
【請求項２５】
面製品、特に文書または印刷物を作成するための方法であって、
前記平面製品の発送の準備が行われる前に、前記平面製品が、２つの処理作業によって、例えば、印刷作業によって、書き込み作業によって、および／または別の処理作業によって少なくとも処理され、このうちの少なくとも１つの処理作業が、機械記入作業、少なくとも二次元で移動できる実質的に一次元で能動な器具を用いた処理作業、または局所能動および／または静止文書作成システムを用いた処理作業であることを特徴とする、方法。
【請求項２６】
平面製品、特に文書または印刷物を作成して発送するための方法であって、前記製品、特に前記文書または前記印刷物が、電子注文データ記録に基づいて少なくとも１つの郵便センターで作成され、発送の準備が行われ、次いで発送され、顧客が、電子注文データ記録をインターフェイスによって前記郵便センターに送達することができ、
前記平面製品が、前記郵便センターにおいて、動かない紙の上で少なくとも部分的に処理されることを特徴とする、方法。
【請求項２７】
前記発送準備システムの上流の前記平面製品の前記処理が、少なくとも部分的にマルチストリームモードで行われることを特徴とする、請求項２２〜２６のいずれか１項に記載の方法。
【請求項２８】
前記平面製品が、電子機械制御システムで注文に割り当てられることを特徴とする、請求項２２〜２７のいずれか１項に記載の方法。
【請求項２９】
制御コードが、前記平面製品に設けられることを特徴とする、請求項２２〜２８のいずれか１項に記載の方法。
【請求項３０】
前記制御コードが、印刷機の印刷装置によって設けられることを特徴とする、請求項２９に記載の方法。
【請求項３１】
前記制御コードが、発送作業の前に除去されることを特徴とする、請求項３０に記載の方法。
【発明の詳細な説明】
【技術分野】
【０００１】
本発明は、一方では、電子注文処理システム、およびこの電子注文処理システムによって作動され、かつ印刷機および機械発送準備システムを備えた処理機を用いて、平面製品、特に文書または印刷物を作成して発送するための装置に関する。本発明はまた、電子注文処理システム、およびこの電子注文処理システムによって作動され、かつ少なくとも２つの処理装置を備えた処理機を用いて、平面製品、特に文書または印刷物を作成して発送するための装置であって、インターフェイスがこの電子注文処理システムと顧客との間に設けられている、装置に関する。同様に、本発明は、平面製品、特に文書または印刷物を作成して発送するための方法であって、この平面製品が、電子注文データ記録に基づいて少なくとも１つの郵便センターで作成され、発送の準備が行われ、次いで発送され、顧客が、電子注文データ記録をインターフェイスを介して郵便センターに送信することができる、方法、または平面製品、特に文書または印刷物を作成する方法に関する。
【背景技術】
【０００２】
平面製品を作成して発送するこのような装置および方法は、先行技術から十分に公知であり、特に大企業で使用されるが、従来の印刷機による文書の自動作成のための対応するサービスセンターでも使用され、従来の印刷機は、印刷機構によって印刷される適切な用紙を案内して印刷し、例えば、少なくとも２つの対向して配設されたシリンダを備え、そして印刷物を送り、用紙が、対応する適切な折り畳み機および挿入機、即ち機械発送準備システムに送るためにさらに準備される。
【０００３】
また、印刷機および機械発送準備システムを備えるこのような処理機を電子注文処理システムに連結させて、定型の手紙だけではなく、個性の手紙、例えば、会社の個々の部だけではなく個性、例えば、個々顧客の手紙を注文として記録し、処理機によって発送の準備を行うことができることも公知である。
【０００４】
これに関連して、表現「平面製品」は、「平面品」、ならびに「封筒」および封筒に封入される「平面アイテム」に対する一般的な用語として理解されることを説明しなければならない。これに関連して、「平面品」は、「平面アイテム」に対応し、「平面アイテム」は、発送の前に封入されるが、「平面品」は、発送の前に封入されない。「平面アイテム」または「平面製品」は、特に、文書、同封物であり得、カードでも良い。
【発明の概要】
【発明が解決しようとする課題】
【０００５】
しかしながら、このような装置および方法は、この装置で作成される平面製品が、僅かな個性しか許容されず、対応する平面製品が、人間が一切介入しない機械によって作成された印刷品（ｐｒｉｎｔｅｄ  ｗｏｒｋ）として、平面製品として、または印刷物として常に認識され得るというデメリットを有する。従って、本発明の課題は、このデメリットを最小限にすることにある。
【課題を解決するための手段】
【０００６】
独立項の特徴を有する方法または装置が解決策として提案される。さらに有利な構成が、従属項に示されているだけではなく、本記載にも示されている。
【０００７】
これに関連して、電子注文処理システム、およびこの電子注文処理システムによって作動され、かつ印刷機および機械発送準備システムを備えた処理機を用いて平面製品を作成して発送するための装置は、印刷機が、この印刷機と機械発送準備システムとの間に配設された局所能動文書作成システムを備えることを特徴とし得る。
【０００８】
局所能動文書作成システムは、印刷機で作成される文書の高度の個性化を可能にする。この個性化は、印刷機では通常は行うことができない文書の追加処理によって可能となる。例えば、この追加処理は、文書に対する印刷作業、例えば、スタンプの局所エンボス加工、または文書の機械処理、例えば、局所切断作業であり得、これにより文書が局所的に作成される。
【０００９】
別法または追加として、電子注文処理システム、およびこの電子注文処理システムによって作動され、かつ印刷機および機械発送準備システムを備えた処理機を用いて文書を作成して発送するための装置は、静止文書作成システムが、印刷機と機械発送準備システムとの間に配設されていることを特徴とし得る。
【００１０】
また、高度の個性化が可能であり、静止文書作成システムは、従来の印刷機および機械発送準備システム、または印刷機および機械発送準備システムを備えた従来技術で公知の処理機では対応できない複雑な書き込み作業および処理作業を行うことができる。
【００１１】
これらの前述の構成は共に、発明による一般的な基本概念から発生したものであり、この基本概念は、特に機械的に、即ち手作業の介入なしに印刷機から仕上がった平面製品がロードされ、電子注文処理システムを経る、特に機械発送準備システムによって表される、本質的にハイスループットに設計されたプロセス制御装置または機械環境において、個性化のために、本質的に非常に遅いプロセスステップ、即ち処理される平面製品の静止または局所的にのみ能動である、即ち個々の点でのみ能動である文書作成システムを実現する。このような局所能動および／または静止文書作成システムは、例えば、自動サイン機またはプロッタとして本質的に知られている。しかしながら、一般に、局所能動および／または静止文書作成システムは、手作業または手動でロードされるため、前提部分に従った環境では使用されない。特に、例えば、機械的に書き込まれて適切な形態に分離される移動する連続紙と共に、または機械的選別、挿入、もしくは他の紙処理設備と共に、局所能動および／または静止文書作成システムを機械加工プロセスに組み込むことは、従来技術では公知ではない。
【００１２】
本文脈における「文書」とは、通常は紙の形態で存在するメッセージの物理的形態のことである。従って、文書は、手紙、ちらし、はがき、名刺、または情報媒体の同様の形態もしくはメッセージであり得る。一見して明らかなように、文書は、紙の形態に限定されるものではない。従って、文書を他の物質、例えば、プラスチックまたは布地などから形成することも可能である。
【００１３】
この「電子注文処理システム」は、あらゆる種類のハードウエアまたはソフトウエアからなり、この「電子注文処理システム」により、平面製品、特に文書もしくは印刷物を作成するための注文データ、または平面製品もしくは文書自体についてのデータを受信する、変更する、割り当てる、または送信することができる。これに関連して、顧客データ、送り状データ、または受取人データが注文に添付されるため、同じことが、注文、平面製品、または印刷文書についての全ての付随情報にも当てはまる。電子注文処理作業は、コンピュータ、サーバ、またはルータによって実行される自動ルーティンだけではなく、注文データまたは文書に対する任意の手動介入も含むことを理解されたい。これに関連して、電子注文処理作業は、オペレータ、植字工、コピーライター、または帳付けによる介入も含も得る。
【００１４】
電子注文処理システムによって作動される「処理機」は、本明細書では、実際の処理または注文で述べられた文書に対する物理的文書の作成を行うことができる機械に関連するだけではなく、個々の機械のネットワークに関連する。これに関連して、処理機は、印刷機および機械発送準備システムだけを備えるものではない。また、抄紙機、選別機、郵便料金別納証印刷機、または器具を備えた任意の機械を処理機に含めて良いと考えられる。
【００１５】
これに関連して、表現「発送」は、特に発送準備システムを含む。実際の発送作業は、例えば、手動または半手動で行うことができるさらなる方法ステップを確実に含むことができ、方法ステップ自体は、例えば、手動で選別する、いくつかの平面製品を輸送箱に集める、または郵送スロットに入れることなどを必ずしも毎回行わなくても良い。これに関連して、表現「発送」は、平面製品をそのサイズまたはその形状で、十分に宛名書きされて、発送し、届けることができる場合は、発送準備作業だけは必ず含む。従って、本文脈では、表現「発送」は、目的通りに輸送できるように平面製品を準備する最終作業を意味する。
【００１６】
「印刷機」は、タイプした原稿、図形、または他の文字および記号を文書に設けることができる、またはこれらを文書に含めることができ、本文脈では、表現「印刷装置」の下で組み合わせられる任意の装置に関連する。一般に、「印刷機」は、染料の塗布に加えて、器具を用いて製品のグラフィックデザインを達成することもできるあらゆる種類の装置に関連する。特に、表現、印刷機は、あらゆる種類のプリンタ、例えば、レーザープリンタ、インクジェットプリンタ、およびプロッタなどを明らかに含む。また、いくつかの印刷装置を、互いに並列または直列に設けて、全体として印刷機を構成することもできる。
【００１７】
これに関連して、印刷機は、別の印刷装置を備えることができ、局所能動および／または静止文書作成システムが、この別の印刷装置と機械発送準備システムとの間に配設されると、特に有利である。好ましくは、さらなる印刷装置は、全体的に能動または連続的に動作する印刷装置、例えば、レーザープリンタ、またはオフセットプリンタなどでもある。このように、文書は、別の印刷装置によって迅速に従来の方法で作成し、次いで、局所能動および／または静止文書作成システムで個性化することができる。
【００１８】
１つまたは任意の他の別の印刷装置を、必要に応じて、局所能動および／または静止文書作成システムの下流に設けることができるが、この場合、例えば、下流の別の印刷装置によってどの封も損傷しないようにするべきであり、場合によっては、このように作成された文書のどの元の文書の文字も偽造されないようにすべきであることを理解されたい。
【００１９】
印刷機による文書のグラフィックデザインとは対照的に、「機械発送準備システム」は、後の発送のために文書を準備する任意の装置に関する。従って、このような装置は、例えば、折り畳み機、挿入機、または郵便料金別納証印刷機であり得る。同様に、同封フィーダまたは切断装置も設けることができる。これに関連して、文書を郵送するために使用される封筒は、機械発送準備システムによってだけではなく、例えば、封筒に住所データまたは広告を印刷するために印刷機によっても処理することができることに留意しなければならない。
【００２０】
特に機械的に、即ち手作業の介入なしに印刷機から仕上がった平面製品がロードされ、電子注文処理作業を受ける、本質的にハイスループットに設計されたまたはプロセス制御装置または機械環境において、本質的に非常に遅いプロセスステップを実現する、上記既に述べられた基本概念は、特に、印刷機および機械発送準備システムが、平面製品の特定の注文への割り当てのための割り当て手段を有する場合に実行することができる。これは、例えば、平面に設けられ、必要に応じて除去される適切な制御コードまたは一貫性制御コードによって達成することができる。例えば、制御コードまたは住所から適切な割り当てを可能にする適切な画像認識手段が設けられている場合は、バーコードだけではなく住所もこのような制御コードとして使用することができる。追加または別法として、装置を通過するどの平面製品もそれぞれ既知であるため、正確な割り当てを、発送準備作業までの任意の時点で行うことができることから、装置は、適切な割り当てを保証することさえできる。
【００２１】
特定のプロセス制御によっては、特に、平面製品に対する一貫性は、このような割り当て手段による発送準備作業まで保証することができるため、前記製品は、例えば、平面アイテムである場合は、特に正しい封筒の中に挿入することができ、場合によっては、必要な同封物と組み合わせることもできる。例えば、総会の案内状は、機械で書く、または少なくとも機械でサインすることができ、この場合、必要に応じて様々な器具を用いて様々なサインを書くことができ、年次報告書を同封することができる。割り当てにより、個人の封筒、即ち窓の付いていない封筒を、個人の宛名と共に使用することができ、この場合、封筒を、必要に応じて機械で記入し、少なくとも二次元で移動できるが実質的に一次元で能動な器具で処理し、かつ／または局所能動および／または静止文書作成システムによって処理することができ、このようにして、封筒および平面アイテム、または文書および同封物を含む平面製品全ての個性が強調されるようにする。
【００２２】
従って、特に、割り当て手段により、自動サイン機械に適切にロードし、手作業により添え状を挿入しなければならない場合に特に間違いが起こりやすい手作業プロセスから、一方では多数の製品を処理し、他方では間違いの起こりにくさを保証できる機械プロセスに切替えることができる。
【００２３】
「文書作成システム」は、印刷機または印刷装置のサブグループを意味するが、器具による平面製品に対する処理作業のためだけに設計されている。
【００２４】
本発明の意味の範囲内の「器具」は、例えば、スタンプ、ペン、ナイフ、スプレー装置、エンボス加工装置、または器具制御システムによって制御される任意の別の器具であり得る。
【００２５】
「器具制御システム」は、結果として、所望に、即ち個性化またはプログラム可能に、そして平面製品または文書を処理するように器具を制御することができる任意の装置である。
【００２６】
上記説明された装置の有利な構成は、文書作成システムがベクトル作動器具制御システムを備える場合に達成される。高度の個性化が、器具制御システムをプログラム可能に構成する実現性によって達成され、これにより、いくつかある選択肢の中で多次元処理作業を文書に対して実行することができる。いくつかのほぼゼロ次元の個々の点から原稿パターンまたはパターンを作成する印刷機とは対照的に、例えば、二次元的に描かれた記号または図形を含む凝集パターンを作成することができる。移動順序、特にスタイラス、筆、またはナイフなどの移動順序をベクトル作動器具制御システムによって非常に単純に決定できるため、特に、サインまたは筆の線さえも、文書作成作業中に個性化の特徴として適宜使用することができる。
【００２７】
ベクトル作動器具制御システムと同じ利点が、文書作成システムが三次元器具制御システムを備える上記説明された装置の別の有利な構成によって達成される。ベクトル作動器具制御システムをやめることにより、例えば、筆に対する様々な押圧力、またはスタイラスおよび筆に対する各器具の様々な設定角度を予め決定する、または予め決定することができることから、文書に対するより複雑な処理作業が可能となる。これに関連して、ベクトル作動器具制御システムでも、単に二次元処理作業に限定されるだけではなく、三次元処理作業にも同様に使用できることを理解されたい。次いで、これが、例えば、様々な押圧力をもたらすことがあり、これにより、特定の適用例の状況によって、例えば、紙または他の平面製品、従って、手書きによって記入される平面製品の典型的な文字が永久変形する、または様々な筆跡の太さとなる。
【００２８】
三次元制御システムを備えた本発明による装置は、実質的に一次元で能動な器具、例えば、スタイラス、筆、ペン、ナイフ、スプレーヘッド、および／またはスタンプが三次元器具制御システムに配設されると特に有利である。
【００２９】
これに関連して、表現「一次元の」は、必然的に、上記説明されたどの器具も、少なくとも二次元の原稿パターンを作成し、三次元の範囲を有するため、数学的に解釈されるものとする。また、これに関連して、スプレーヘッドは、インクジェットプリンタのスプレーヘッドに限定されるものではなく、これに関連して、任意のパルス作動式または空気作動式器具、例えば、エアブラシスプレーガンなどでも良いことに留意されたい。
【００３０】
特に、本発明による装置は、たとえ三次元器具制御システムの代替であっても、文書作成システムがエンボス加工ステーションを備えると有利である。エンボス加工ステーションによるだけではなく、穴あけ装置によっても、平面製品または文書の三次元構造を達成することができ、この場合、既に上記説明されたように、見た目に加えて、文書の感触も、有利に構成することができる。
【００３１】
さらに、本発明による装置は、写真記録システムが、文書作成システムの領域またはその前部もしくは後部に配設されると有利である。写真記録システム、例えば、対応するソフトウエアを備えたカメラは、作成された文書が処理作業を受けている間またはその直後に、行われたタスクについてこの文書をチェックし、質の悪い文書を選り分けなければならない場合は、必要数の文書を適切に処理することができる。
【００３２】
特に、このようなカメラは、顧客がその顧客の文書に属する各写真への適切なアクセスが許可されていることから、顧客が文書の質を直接検討できる機会を提供する。このようなチェックは、信頼を確立できるため、特に非常に高度に個性化された作業、例えば、筆さばきまたはサインにとってかなり有利である。
【００３３】
さらに、カメラは、これに加えてまたは別法として、制御コード、特に一貫性制御コードを使用するだけではなく、制御コードとして使用される領域、例えば、アドレスフィールドも使用して、平面製品を記録し、次いでプロセスステップを確実にするために制御コードから情報を引き出すことができる。一方では、この情報の引き出しは、使用される器具が、例えば、筆であろうと、または使用される器具が、例えば、ペンであろうと、使用される器具についての情報、および／または処理作業、例えば、サインまたは記号の書き込みなどの順序が、制御コードに直接含まれ、この場合、対応する機械コマンドがデータベースによって処理装置自体で作成されることから、直接行うことができる。他方では、この情報の引き出しは、注文への対応する割り当てが、制御コードまたはアドレスから行われ、次いで対応する情報が保存されることから、間接的に行うことができる。
【００３４】
これに関連して、印刷機の下流または上流にあるこのような写真記録システムは、単に静止画システムであろうと、または動画監視システムであろうと、電子注文処理システム、およびこの電子注文処理システムによって作動され、かつ印刷機および機械発送準備システムを備えた処理機を用いて平面製品または文書を作成して発送するための装置において、特に、顧客によるチェックが、例えば、リアルタイムで、または送られたもしくは保存された画像へのアクセスによって可能になる場合は、本発明の他の特徴とは独立して相応に有利であることを理解されたい。
【００３５】
さらに、本発明による装置は、文書作成システムが、少なくとも２つの同一に構成された処理ステーションまたは処理装置を有し、かつ分配器が印刷機と２つの処理装置または処理ステーションとの間に配設されていると有利である。文書作成システムの上流に接続された印刷機よりもスループットの小さいこの文書作成システムは、上記説明された構成のために、印刷機の最大能力を通常は利用することができない。従って、２つ以上の処理装置または処理ステーションによる文書の処理作業は、一方では、要求された全ての文書の迅速な処理にとって有利であり、他方では、各印刷機の能力の利用にとって有利である。これに加えて、例えば、関連しているが異なって個性化される２つの文書が、共通の印刷機で作成される場合は、異なる処理作業も可能である。従って、例えば、手紙または書類の最初の頁に、会社の着色ロゴを設けることができ、手紙または書類の最後の頁に、サインおよびシールスタンプを設けることができる。
【００３６】
従って、本発明の他の特徴から独立して同様に有利なものは、電子注文処理システムによって作動され、かつ少なくとも２つの処理装置またはステーションを備えた処理機を用いて平面製品、特に文書または印刷物を作成して発送するための装置であり、この装置は、２つの処理装置またはステーションがそれぞれ、同一であり、かつ／または２つの異なる局所能動および／または静止文書作成システムであることを特徴とする。従って、一方では、異なるタスクを実行するが、同様のタスクも同時に実行するため、結果として装置全体が迅速に動作することが可能となる。
【００３７】
これら２つの同一の局所能動および／または静止文書作成システムは、特に、デュアルストリームモードで作動させることができ、これに応じて、２倍の処理速度を達成することができる。
【００３８】
入口と２つの処理ステーションとの間に、特に、分配器を配設することが可能であり、この分配器は、個々の平面製品をそれぞれ、一方または他方の文書作成システムに割り当てる。しかしながら、必要に応じて、特に、平面製品を実際に表す媒体、例えば、紙などを後に分離する場合は、対応する大きな準連続平面製品が、最初にデュアルストリームまたはマルチストリームモードで処理された後に適切に分離されることから、デュアルストリームまたはマルチストリームモードも実施することができる。
【００３９】
これに関連して、特に、１つまたは複数の文書作成システムが、後に別の位置で切断される連続紙に対して動作するように、平面製品を作成する装置を構成することも可能である。連続紙の切断は、連続紙が、文書作成システムの下流で再び巻き取られ、別の設備に輸送され、そこで再び巻き戻されて処理されることから、必要に応じて別の設備で行うこともできる。特に、このような構成では、必要な一貫性、即ち個々の平面製品の注文に対する十分な相互関係が分離作業中および分離作業後に保証される場合は、分離作業中に、連続紙に設けられた制御コードを除去することも可能である。
【００４０】
「分配器」は、印刷機から出てくる文書を各処理ステーションに案内する任意の装置であり、表現「処理ステーション」は、処理ステップを実行することができる文書作成システムの任意のサブユニットを意味する。
【００４１】
従って、２つの処理装置または処理ステーションが、共通の入口および／または共通の出口を有すると有利である。これにより、機械規模での大量生産への移行が、特に単純な方式で保証され得る。
【００４２】
別法または追加として、導入部で提起された課題を達成するために、電子注文処理システム、およびこの電子注文処理システムによって作動され、かつ少なくとも２つの処理装置を備えた処理機を用いて平面製品、特に文書または印刷物を作成して発送するための装置であって、インターフェイスが、電子注文処理システムと顧客との間に配設されている、装置は、インターフェイスが、少なくとも２つのパラメータベクトルを持つパラメータ行列を含み、この２つのパラメータベクトルのうちの第１のパラメータベクトルが、平面製品または文書の第１の処理命令のためのパラメータを含み、この２つのパラメータベクトルのうちの第２のパラメータベクトルが、平面製品または文書の第２の処理命令のためのパラメータを含むことを特徴とし得る。
【００４３】
これと共に、インターフェイスにより、特に顧客が、有利なことに、作成される文書に対するいくつかの処理命令を書いて、処理機の様々な処理装置を、顧客の希望に従って別個に作動させる、または作動されるようにして、このように文書を個性化することも可能となる。
【００４４】
これに関連して、このアプローチは、特に、誰でもインターフェイスを介して、最終的に印刷作業に個々に影響を与えることができるため、バルクトランザクションを個性化する本発明による概念を同様に可能にするが、これは、これまで、電子注文処理システムおよびこの電子注文処理システムによって作動される処理機を用いて文書を作成して発送するための装置には設けられておらず、この装置は、例えば、適切なファイル形式での実際の印刷テンプレートの処理を除き、特別に訓練を受けた者または各機械オペレータによる介入のみを許容するだけである。
【００４５】
これに関連して、インターフェイスは特に、現代の通信装置、例えば、コンピュータ、タブレット、またはスマートフォンなどにより適切なアクセスが可能となり、従って、一方では、大量生産のための使用を可能にするだけではなく、各平面製品の非常に個性的な設計を可能にするように構成することもできる。これに関連して、大量生産で運転している機械にとって、個々の平面製品が、極端に個性化された条件で唯１つのコピーで生産されるか否か、または大量発注の一部として、必要に応じて最低限度の個性のみで多数または数千のコピーで生産されるか否かは最終的に重要ではない。
【００４６】
特に、パラメータは、原稿、透かし、スタンプ、エンボス加工、穴あけ、香料、写真、または広告の処理命令を含み得る。従って、様々な処理装置によって実行することができるこれらの様々な処理命令を、顧客が、インターフェイスを介して、従って、例えば、コンピュータ、タブレット、またはスマートフォンによって選択して個々に文書に割り当てることができる。従来技術ではこれまで、各処理命令の作成および割り当ては、通常は、各命令に関わる処理装置を自動的に作動させる注文処理システムによって行われてきた。
【００４７】
特に、このようなインターフェイスは、印刷に必要な全ての顧客パラメータを含む注文を注文処理システムに直接供給することを可能にするため、高度に自動化されたモードで動作するこのような装置を、たとえ少量の印刷の稼動となる顧客に対しても、初めて経済的に利用可能にすることを可能にする。大量注文の顧客の場合は、一般に、高度の個性化が必要ないため、このような高度の個性化は、例えば、文書を作成して発送するための装置のオペレータまたは供給者の代理人の直接介入によって行うことができる。
【００４８】
「処理装置」は、本明細書の意味では、処理機のサブユニットであるという理解があるため、処理装置は、いくつかの処理ステーションを有し得る。従って、例えば、処理機の処理装置は、エンボス加工ステーションであり得、この処理装置のいくつかの処理ステーションは、例えば、様々なエンボス加工作業を行う。これに関連して、処理ステーションおよび処理装置は、好ましくは、上記の印刷装置であるが、機械発送準備システムのサブアセンブリまたは他のユニットは、適宜、処理ステーションまたは処理装置とすることができる。
【００４９】
「インターフェイス」は、処理機または電子注文処理システムと外部システムとの連結を意味し、この連結によって、処理機を作動させることができる。この外部システムは、好ましくは、このために必要な全てのパラメータと共に注文データまたは文書を顧客の事務所で用意する顧客であり、これらをネットワーク、例えば、インターネットを介してインターフェイスによって電子注文処理システムに送信することができる。従って、インターフェイスは、適切な動作クリアランスで、コンピュータ、タブレット、もしくはスマートフォンを用いて、または同様の現代の通信装置を用いて顧客によって入力されたデータのダウンロードを可能にする。
【００５０】
これに関連して、「パラメータ行列」は、好ましくは、送信された注文、平面製品、または印刷文書の全ての関連データを含むため、できる限り、操作者、例えば、対応する供給者の代理人などによるさらなる介入が、必要なくなるまたは最小限に低減される。このパラメータ行列は、多次元行列とすることもでき、各データがある方式または方法で保存されるため、パラメータベクトルを含み、このパラメータベクトルは、各処理命令のパラメータを含む。従って、パラメータベクトルは、好ましくは、個々の処理装置の全ての関連データを含む。パラメータ行列における全てのパラメータベクトルの相互作用により、注文で言及された平面製品または注文で言及された文書の完全な定義が得られ、この製品または文書は、パラメータベクトルによって作動される個々の処理装置によって処理機で作成することができる。一見して明らかなように、どのパラメータベクトルも、パラメータベクトルを含み得るため、「ベクトル」の意味は、一次元データ領域に限定されない。これに関連して、「パラメータ行列」は、特に、多次元データ領域も含み得る。
【００５１】
上記説明された定義によって、「処理命令」は、好ましくは、一見して明らかなように、平面製品または文書の処理に必要な個々の処理装置の情報を含む。
【００５２】
本発明による装置の別の構成では、２つのパラメータベクトルが、様々な処理ステップの少なくとも１つの異なる処理命令を有すると有利である。これに関連して、様々な処理ステップを様々な器具によっても実行することができるため、様々な処理装置が、同一の平面製品または同一の文書に対するいくつかの異なる処理ステップを実行することができると有利な効果が得られる。
【００５３】
これに関連して、様々な処理ステップが印刷命令であると特に有利である。これに関連して、平面製品または文書は、様々なステップまたは様々なアプリケーションによって印刷される。本文脈における「印刷命令」は、特に、スタンプ、ペン、ナイフ、エンボス加工システム、または穴あけシステムによる文書の処理も含むことができ、この場合、印刷される文章または印刷される写真が、必要に応じて、パラメータベクトルまたはパラメータ行列の１つの座標に配置されることに留意されたい。
【００５４】
パラメータ行列を持つインターフェイスを有する、平面製品または文書を作成して発送する装置に関連して、２つのパラメータベクトルのうちの第１のパラメータベクトルが、２つの処理装置のうちの第１の処理装置の作動のための処理命令を有し、２つのパラメータベクトルのうちの第２のパラメータベクトルが、２つの処理装置のうちの第２の処理装置の作動のための処理命令を有するとさらに有利である。一見して明らかであり、既に上記説明されたように、この構成は、平面製品または文書の作成に必要な処理ステップを自主的に選択して決定する顧客側の各処理装置の別個の作動を可能にする。
【００５５】
これに加えて、平面製品、特に文書または印刷物を作成して発送するための方法であって、平面製品、特に文書または印刷物が、電子注文データ記録に基づいて少なくとも１つの郵便センターで作成され、発送の準備が行われ、次いで発送され、顧客が、電子注文データ記録をインターフェイスを介して郵便センターに送信することができる、方法は、平面製品または文書が、少なくとも二次元で移動できる実質的に一次元で能動な器具を用いて郵便センターで処理されることを特徴とし得る。
【００５６】
このアプローチはまた、本発明による基本概念に本質的に対立した、ゆっくりと困難に動作する器具を用いて、郵便センターと同等である高スループット用に設定された設備を提供するという本発明による基本概念に従い、この設備は、必要に応じて、他の場所または他の国に設置された別の郵便センターとネットワークでも接続され、一般に、大量注文では、顧客によって中央で準備された大量の郵便物を地域で印刷して封入し、可能な限り郵便料金の安い地域で郵送し、このようにして、各平面製品または文書に関する高度の個性化を可能にする。これに関連して、「郵便センター」は、電子注文データ記録を受信して処理機に転送し、これに加えて、必要な処理機を備えるか、または受信した注文データを、対応する処理機を備える別の郵便センターに転送することができる。
【００５７】
この器具は、例えば、スタイラス、ペン、筆、ナイフ、スプレーヘッド、および／またはスタンプとすることができる。有利なことに、平面製品または文書の作成および発送における高度の個性化は、この方法によって可能となる。従って、この個性化は、使用される器具を用いると、一方では、平面製品または文書の作成を、使用される器具によって個々に達成することができ、他方では、さらなる個性化が、いくつかの異なる器具の使用によって可能となるという事実から実現する。
【００５８】
別法として、または上記方法に加えて、平面製品、特に文書または印刷物を作成して発送する方法であって、文書が、電子注文データ記録に基づいて少なくとも１つの郵便センターで作成され、発送の準備が行われ、次いで発送され、顧客が、電子注文データ記録をインターフェイスを介して郵便センターに送達することができる、方法は、平面製品または文書が機械的に記入されることを特徴とし得る。
【００５９】
平面製品または文書、厳密には外部で指定された個々の平面製品または文書の機械記入は、これまで知られていなかったため、この方法は、導入部で設定された課題も有利に達成し、本発明の基本概念を実施する。大量の印刷物の場合、対応する印刷法、例えば、個性化を一切許容しないオフセット印刷、もしくはレーザー印刷法が使用される。また、平面製品もしくは文書の記入は、例えば、デイジーホイールもしくはタイプボールを用いてタイプライターによって行われるが、実際にタイプが行われるため処理速度が遅く、これは、バルク印刷法には現在は使用されていない。
【００６０】
従って、これに関連して、文書に対して全体的に作用する印刷作業と、一度に１本の線しか引けない機械または機械タイピング作業との区別をしなければならない。従って、既に上記説明されたように、機械的に適切に移動する、特に、厳密にはスタイラス、筆、または他のペンは、機械または機械式記入に特に適している。
【００６１】
別法として、または上記説明された態様に加えて、平面製品、特に文書または印刷物を作成して発送するための方法は、平面製品または文書の発送の準備が行われる前に、この平面製品または文書が、２つの処理作業によって少なくとも処理され、このうちの少なくとも１つの処理作業は、機械記入作業、少なくとも二次元で移動できる実質的に一次元で能動な器具を用いた処理作業、または局所能動および／または静止文書作成システムを用いた処理作業であることを特徴とし得る。特に、これらの処理作業は、例えば、印刷作業、タイピング作業、および／または別の処理作業とすることができる。より高度な個性化の利点は、この場合、２つの処理ステップによって達成され、顧客は、文章の印刷中または文章の選択中だけではなく、別の処理ステップ、例えば、スタンプ、エンボス加工、機械書きおよび特に手書き風を示す要素または同様の要素の任意の組み合わせの追加の選択中の両方で文書に手を加えることができる。
【００６２】
最後に、導入部で設定された課題を達成するために、平面製品、特に文書または印刷物を作成して発送するための方法であって、平面製品、特に文書または印刷物が、電子注文データ記録に基づいて少なくとも１つの郵便センターで作成され、発送の準備が行われ、次いで発送され、顧客が、電子注文データ記録をインターフェイスを介して郵便センターに送達することができる、方法は、平面製品または文書が、郵便センターにおいて、動かない紙の上で少なくとも部分的に処理されることを特徴とし得る。このプロセス制御を用いると、複雑なタイピング作業、印刷作業、および処理作業を、動かない紙の上で有利に実行することができる。これにより、可能な処理ステップの選択が増えるため、同様に高度の個性化が可能となることが一見して明らかである。
【００６３】
上記説明された方法は、発送準備システムの上流の文書の処理が、マルチストリームモードで少なくとも部分的に行われるとさらに有利である。この構成により、文書の処理に必要な処理チェーンは、前または後の処理ステップに関してプロセスシーケンスを遅らせ得る処理ステップが、いくつかの平面製品または文書に対して並行に実行されるように構成されている。このため、例えば、第１の処理ステップからの２つの平面製品または文書はなお、次の処理ステップが前の処理ステップよりもかなりゆっくり実行され得る場合にのみ、別個の装置で同時に次の処理ステップで処理することができる。
【００６４】
特に安全に作業すること、従って大量生産への移行を保証できるようにするためには、平面製品が電子機械制御システムの注文に割り当てられると有利である。この割り当ては、例えば、機械内部割り当てによって行うことができ、これにより、平面製品に対して行われるべき処理ステップが、正しい平面製品に対しても行われることが保証される。同様に、機械によって読み取られる制御コードを平面製品に設けることができ、通信の一貫性を保証することができる。必要に応じて、このような制御コードを、印刷装置、例えば、従来のプリンタによって設けることができる。同様に、制御コードを局所能動および／または静止文書作成システムによって設けることができるが、この場合、このような文書作成システムによって設けられる制御コード、従って、例えば、スタイラスまたは筆による制御コードが確実に認識され得ることを保障するために適切な措置を講じる必要があろう。
【００６５】
好ましくは、制御コードは、発送作業の前に除去され、この除去は、例えば、一定の条件下で、通常であれば平面製品材料のガイドとして使用される縁を切断する切断作業、または２つ以上のストリームを互いに分離する分離作業で行うことができる。
【００６６】
上記または特許請求の範囲に記載された解決策の特徴は、追加的に適宜、利点を実行できるようにするために、必要に応じて組み合わせることもできることを理解されたい。
【００６７】
単独で有利であり得る、または互いにもしくは既に上記説明された特徴と組み合わせられると有利であり得る本発明のさらなる特徴、利点、目的、および特性を、特に添付の図面にも例示される例示的な実施形態の以下の説明に基づいて説明する。
【図面の簡単な説明】
【００６８】
【図１】図１は、文書を作成するための処理機の全体図を示している。
【図２】図２は、書き込みロボットおよび切断ロボットを備えた、図１による処理機の詳細図を示している。
【図３】図３は、図２による切断ロボットの詳細図を示している。
【図４】図４は、図２による書き込みロボットの詳細図を示している。
【図５】図５は、図１による処理機のスプレーヘッドを備えたロボットの詳細図を示している。
【図６】図６は、エンボス加工機を備えた処理機の全体図を示している。
【図７】図７は、図６によるエンボス加工機の詳細図を示している。
【図８】図８は、図６によるエンボス加工機の別の詳細図を示している。
【図９】図９は、凸書体および凹書体の詳細図を示している。
【図１０】図１０は、図７および図８によるエンボス加工機のエンボス加工リムの詳細図を示している。
【図１１】図１１は、図１による処理機のスタンプロボットを示している。
【図１２】図１２は、図１１によるスタンプロボットの染料ステーションおよび清掃ステーションを備えたスタンプの詳細図を示している。
【図１３】図１３は、図１２によるスタンプおよび染料ステーションの別の詳細図を示している。
【図１４】図１４は、いくつかの書き込みロボットを備えた別の処理機の全体図を示している。
【図１５】図１５は、注文作業、文書の作成作業、および発送作業の模式的な全体図を示している。
【図１６】図１６は、注文作業、文書の作成作業、および発送作業の模式的なフローダイヤグラムを示している。
【図１７】図１７は、図１５および１６による郵便センターでの模式的なプロセスシーケンスを示している。
【図１８】図１８は、図１５および図１６による別の郵便センターでの模式的なプロセスシーケンスを示している。
【図１９】図１９は、図１８による郵便センターでの１枚のシート作成の別の詳細なプロセスシーケンスを示している。
【図２０】図２０は、図１９によるプロセスでの手書きの選択についての詳細なプロセスシーケンスを示している。
【図２１】図２１は、図１９によるサインの作成のための詳細な模式的なプロセスシーケンスを示している。
【図２２】図２２は、注文書データの取得のためのインターフェイスの模式的な全体図を示している。
【図２３】図２３は、図２２によるインターフェイスポイント「郵便物パラメータの設定」のインターフェイスの全体図を示している。
【図２４】図２４は、図２２によるインターフェイスポイント「郵便物パラメータの設定」のインターフェイスの全体図を示している。
【図２５】図２５は、図２２によるインターフェイスポイント「郵便物パラメータの設定」のインターフェイスの全体図を示している。
【図２６】図２６は、図２２によるインターフェイスポイント「郵便物パラメータの設定」のインターフェイスの全体図を示している。
【図２７】図２７は、図２２によるインターフェイスポイント「手紙を書く」のインターフェイスの全体図を示している。
【図２８】図２８は、図２２によるインターフェイスポイント「手紙を書く」のインターフェイスの全体図を示している。
【図２９】図２９は、図２２によるインターフェイスポイント「手紙を書く」のインターフェイスの全体図を示している。
【図３０】図３０は、図２２によるインターフェイスポイント「手紙を書く」のインターフェイスの全体図を示している。
【図３１】図３１は、図２２によるインターフェイスポイント「手紙を書く」のインターフェイス全体図を示している。
【図３２】図３２は、図２２によるインターフェイスの別の模式的な全体図を示している。
【図３３】図３３は、文書の作成のための代替の処理機の全体図を示している。
【図３４】図３４は、図３３による処理機の詳細図を示している。
【図３５】図３５は、図３３による処理機の別の詳細図を示している。
【図３６】図３６は、筆を備えた別の処理機の詳細図を示している。
【図３７】図３７は、器具マガジンを備えた図３３〜図３５による処理機に類似した処理機の詳細図を示している。
【図３８】図３８は、別の処理機の全体図を示している。
【図３９】図３９は、別の処理機の全体図を示している。
【発明を実施するための形態】
【００６９】
図１による処理機１００は、用紙供給部１０４を備え、この用紙供給部１０４から、プリンタ１０２が平面製品または文書を作成するために便箋を引き出す。カメラ１０６によってプリンタ１０２のアウトプットで視覚的に検査される印刷物が、まず切断ロボット１０８に送られ、次いで書き込みロボット１１０に送られる。
【００７０】
本発明の特定の実施例によっては、チェックが単にカメラ１０６によって行われる。同様に、例えば、器具の選択に対して、または特定のインクの選択に対して処理機１００を作動させる制御コードをカメラによって記録することも考えられる。
【００７１】
顧客側で決定される個性化のための文書のさらなる処理は、これらの２つのロボット１０８、１１０で行われる。これらのロボット１０８、１１０で行われる処理の結果をチェックする別のカメラ１０６が、２つのロボット１０８、１１０の下流に取り付けられている。次いで、処理された文書は、まず同封フィーダ１１２の中に送られ、次いで挿入機１１６の中に送られる。これらの文書が、顧客側で注文もしくは要求されていた場合、および／または電子注文編集システムに適切に送達された対応する注文が、以降にさらに説明される処置機１００のインターフェイスによって入力された場合は、同封フィーダ１１２は、１つ以上の同封物１１４を文書と一緒に同封する役割を果たす。挿入機１１６は、仕上がった文書を対応する同封物と一緒に折り畳み、次いで、用意した封筒１１８の中に挿入する。処理機１００の保管ベルト１２２で停止した、発送の準備ができた文書１２０は、送入機の下流の品質管理のために、再び第３のカメラ１０６によって視覚的に記録される。
【００７２】
必要に応じて、以下で参照する図３５による例示的な実施形態が例示するように、封入物が入れられた封筒１２１は、対応する書き込みロボット１１０にも通して適切に個性化することもでき、この場合、対応するカメラ１０６をそこに設置することもできる。これに関連して、封筒１２１および文書の両方が、適切に個性化できる平面製品を構成する。これに関連して、一実施形態では、封筒は、適切に個別に処理することができ、次いで、この場合、ある状況下で通信の一貫性が保証されて、正しい封筒が正しい平面アイテムに送られるようにするべきであることを理解されたい。同様に、特殊な構成では挿入が必要なくなることも容易に想像できる。
【００７３】
図２〜図４によると、ロボット１０８、１１０はそれぞれ、既に印刷された便箋１３０の処理のための異なる器具を有する。従って、切断ロボット１０８は、切り抜き１３８を便箋１３０に形成することができるナイフまたは切断ヘッド１３６を備えている。切断ヘッド１３６の代わりのパンチ機を使用しても切り抜き１３８を打ち抜くことができることは一見して明らかである。しかしながら、ナイフまたは切断ヘッド１３６を用いると、穴あけが、機械処理の印象から遠ざける傾向にあるため、処理作業の個性を強調することができる。さらに、ナイフまたは切断ヘッド１３６は、多種多様な切断線を可能にし、いずれの場合も、実質的に一次元で能動な器具のいずれにも当てはまり、同様に個性化を高めることができる。
【００７４】
プリンタ１０２からコンベヤベルト１３２に移された便箋１３０は、切断または穴あけの後に、図４に詳細に例示されている書き込みロボット１１０に送られる。この書き込みロボット１１０は、スタイラス１４０を備え、このスタイラス１４０により、例えば、サイン、さらには完全に手書きの文章も、便箋１３０に書き込まれる。このために、書き込みロボット１１０は、補充管１４４によってペン１４０に連通したインクタンク１４２をさらに備えている。スタイラス１４０の代わりに、ペンまたは筆も、適宜使用することができる。同様に、書き込みロボットが、様々なスタイラス１４０、筆１４１（図３６を参照）、またはペンを選択できるように、交換装置を備えることができる。このために、例えば、器具マガジン１１１が、一例として封筒１２１に関連して図３７に例示されており、封筒１２１は、記入されてから、発送の準備ができた封筒１２０として出力される。
【００７５】
コンベヤベルト１３２によって運搬され、このコンベヤベルト１３２のいくつかのフォロア１３４に支持される便箋１３０は、既に上記説明されたように、プリンタ１０２での印刷作業の後、およびロボット１０８、１１０による処理作業の後のそれぞれで、カメラ１０６によって間違いがチェックされる。
【００７６】
図５による書き込みロボット１１０は、スタイラス１４０の代わりに、便箋１３０を処理するためのスプレーヘッド１４６を備えている。スプレーヘッド１４６は、ペン１４０と全く同様に、一方では、補充管１４４によってインクタンク１４２に連通し、他方では、吹き付けを制御する気送管１４８を備えている。一方では、例えば、染料またはインクを、スプレーヘッド１４６によって吹き付けることができる。同様に、例えば、紙の透過性を変更する油または別の液体をスプレーヘッド１４６によって吹き付けて、このようにして個々の透かしを作成または表示することができる。
【００７７】
スプレーヘッド１４０の使用のために、一方では、切断ロボット１０８を使用することもでき、他方では、ペン１４０による処理だけではなく、スプレーヘッド１４６も使用できるようにするために、いくつかのロボット１０８、１１０をコンベヤベルト１３２に配置することができることが一見して明らかである。既に上記説明されたように、ロボット１０８、１１０は、各器具を交換できるように、交換ヘッドを備えることもできる。
【００７８】
一見して明らかなように、上記の器具はそれぞれ、実質的に一次元で能動である。好ましくは、ロボット１０８、１１０はそれぞれ、少なくとも三次元的に移動し、これにより、一方では、文書に対する様々な運動が可能となり、他方では、少なくとも、吹き付け装置の塗布および様々な距離の持ち上げ、またはスタイラス１４０もしくは筆の様々な押し付け圧力が可能となる。一見して明らかなように、個性化のなお別の可能性は、器具制御システムにおける別の次元、例えば、スタイラス１４０または切断ヘッドのナイフの異なる向きによって達成することができる。
【００７９】
一見して明らかなように、この加工が、好ましくは、コンベヤベルトが停止しているときにロボット１０８、１１０によって行われるため、静止文書作成作業がここに存在する。特定の加工ステップまたは加工順序、例えば、大きい領域であるが粗い吹き付けは、コンベヤベルト１３２が稼動している状態でも、質を落とさずに行うことができることを理解されたい。同様に、上記説明された加工作業はそれぞれ、それぞれの文書に対して局所的にのみ行われ、従って、処理作業はそれぞれ、実質的に唯１つの位置で行われ、残りは、単に後になって処理されるか、または全く処理されないことを即座に理解できよう。
【００８０】
さらなる構成では、図１〜図５に従って説明されたエンボス加工機１００は、図６から分かるように、エンボス加工機１５０を備えることができ、このエンボス加工機１５０により、便箋１３０が、プリンタ１０２での印刷の下流でエンボス加工される。
【００８１】
図７〜図１０によると、エンボス加工機１５０は、２つ１組で互いに対向して配設された少なくとも２つのエンボス加工ホイール１６２からなる。エンボス加工ホイール１６２はそれぞれ、いくつかのエンボス加工リム１６４を備え、所望の書体１６６、１６８を設定するために、これらのエンボス加工リム１６４が、その歯１５６に係合するいくつかの歯付き歯車１５４によって回転させられる。歯付き歯車１５４は、サーボモータ１５２によって駆動される。
【００８２】
書体キャリヤ１７０の凸または凹書体１６６、１６８はそれぞれ、エンボス加工リム１６４に配設され、凸書体１６６はそれぞれ、凹書体１６８と相補的に作用するように構成され、相応に相補的な要領で嵌め込まれる。凸書体１６６だけが装着されたエンボス加工リム１６４はそれぞれ、便箋１３０の一側、例えば、上側に配設され、凹書体１６８が装着されたエンボス加工リム１６４はそれぞれ、便箋１３０の他側に配設される。これに関連して、所望の書体１６６、１６８は、エンボス加工ホイール１６４の回転によって決定され、この場合、エンボス加工リム１６４の並置によって、線全体またはいくつかの書体を、１回のエンボス加工作業で同時にエンボス加工することができるため、ここで局所的に能動な処理を超えた処理が行われるが、これを、このような処理機１００における既知の印刷作業自体と見なすことはできない。
【００８３】
エンボス加工ホイール１６２と組み合わせられたエンボス加工リム１６４は、支持ブロック１６０に回転可能に取り付けられ、支持ブロック１６０は、エンボス加工シリンダ１５８によって便箋１３０の方向にエンボス加工リム１６４を案内し、各エンボス加工リム１６４に配設された書体１６６、１６８を、便箋１３０の下側の、これらの書体１６６、１６８に相補的な書体１６６、１６８に押圧する。
【００８４】
図１１〜図１３から明らかなように、処理機１００は、スタンプロボット１８０を備えることもでき、このスタンプロボット１８０は、コンベヤベルト１３２で送られる便箋１３０をスタンプ１８２によって処理し、この処理も、最終的には、実質的に局所と見なされる。サインの代わり、またはサインに加えて押される、使用されるスタンプ１８２は、まず染料ステーション１８４で染料ヘッド１８８によって染料が吹き付けられる。
【００８５】
これに関連して、この例示的な実施形態での吹き付けは、インクジェットプリンタに類似の技術によって行われるため、スタンプ１８２は、実際には平面プレートとして形成され、この平面プレート上のスタンプパターンが形成される部分にのみ適切な染料が設けられる。代替の実施形態では、平面プレートの代わりに、マトリックスプリンタヘッドと同様に配置できる金属ピンのマトリックスを使用することができ、この属ピンのマトリックスは、必要に応じてスタンプパッドを介して、染料を吸収できる個々の隆起点を形成している。
【００８６】
染料の吹き付け後、スタンプ１８２は、スタンプロボット１８０によって便箋１３０に押し当てられる。新たなスタンプパターンの作成ために、スタンプ１８２を清掃ステーション１８６に移動させ、そこでスタンプ１８２の残った染料が除去され、新たに吹き付けが行われる。
【００８７】
処理機１００で処理される注文が、十分に多数の文書を作成しなければならない場合は、三次元またはレリーフ様構造のスタンプも、スタンプパッドと共にこの位置で使用できることが一見して明らかである。少量の注文の場合は、上記説明された個々に吹き付け可能な平面スタンプ１８２またはマトリックスプリンタの印刷ヘッドに類似したマトリックススタンプが、各文書のコストと個性化との間の良好な妥協案となる。
【００８８】
処理機１００は、例えば、同一の器具を備えたロボット１０８、１１０を装備し、そしてそれぞれが、例えば、封筒１２１に対して、以下の図３５に例示されている処理機において例示されているように、各第２の平面製品または各第２のシートのみを処理することによって、マルチストリームモードで動作することもできる。これに加えて、書き込みロボット１１０のマルチストリーム構成も、処理機１００において可能である。図１４から明らかなように、例えば、プリンタ１０２で作成されたシートカード１９０を、４つの書き込みロボット１１０で同時に処理することができる。従って、その上で並べて配置されたいくつかのはがきを印刷することができるシートカード１９０が、回転ステーション１９２に通された後、書き込みロボット１１０によってスムーズにさらに処理される。いくつかの書き込みロボット１１０の使用により、プリンタ１０２は、シートカード１９０のさらなる処理のためにそれほど待たなくても良く、かつその全能力でシートカード１９０を印刷できるため、プリンタ１０２の能力を十分に利用することができる。
【００８９】
書き込みロボット１１０による記入の後、仕上げ処理されたシートカード１９０を、処理機１００のトレー１９４に収集し、さらなる処理システム、例えば、切断ステーションに一緒に送ることができる。
【００９０】
同様に、図３８または図３９による構成に一致したマルチストリーム適用例を、当然、設けることができる。これに関連して、図３８および図３９による処理機１００は、挿入を不要にしているが、これは、別個の設備における特定の実施によって、必要に応じて行われ、適切な一貫性を、必要に応じて、利用されたアドレスのキャンまたは別個の制御コードによって保証することができる。両方の処理機１００が、連続紙ロール１０３と共に動作し、この連続紙ロール１０３の連続紙が、処理機１００の中に通される。図３８による処理機１００は、連続紙がこの処理機１００を通過した後、連続紙を連続紙ロール１０３に再び巻き上げ、次いで、別の位置で必要に応じて再び巻き戻し、所望の方法で切断する一方、図３９による処理機１００は、分離装置１０１を備え、この分離装置１０１は、連続紙が複数の書き込みロボット１１０を通過した後にこの連続紙を分離し、分離した紙を紙スタック１０５に入れる。次いで、必要に応じて、紙スタックの紙を、アドレスもしくは制御コードに対するスキャン動作または窓付き封筒内への挿入を最初に行うことによってさらに処理することができる。
【００９１】
図３８による処理機１００は、通過方向において単一ストリームモードでのみ動作するが、特定のプロセス制御によっては、クロック通過（ｃｌｏｃｋｅｄ  ｐａｓｓａｇｅ）を設けることができ、これにより、個々の書き込みロボット１１０が、処理が一時的、例えば、サインだけである場合、または書き込みロボットが、文書の各部分に対して連続的に加工する場合、１つのストリームまたは連続的な通過を完全に処理する。対照的に、図３９による処理機１００は、通過方向においてデュアルストリームモードで動作し、これにより、図３８による処理機１００と比較して、同一の文書サイズが作成される場合は、幅が２倍の巻き取り紙が必要であり、分離装置１０１におけるこの例示的な実施形態で行われるように、２つのストリームを、後続のプロセスステップで通過方向に分離しなければならないが、この実施形態の代替の実施形態では、別の位置で行うこともできる。
【００９２】
図３８および図３９による構成では、他のロボットまたは対応する処理装置、例えば、筆１４１を備えたロボット、切断ロボット１０８、ならびにスプレーヘッド１４６を備えたロボット、スタンプ、またはエンボス加工装置などを、書き込みロボット１１０の代わりに設ける、または書き込みロボット１１０と組み合わせることができることを理解されたい。
【００９３】
文書２２０の創造、作成、および発送の準備ができた文書２２０の発送のプロセスシーケンスは、図１５〜図２１から分かるように、少なくとも１つの顧客インターフェイス２００、郵便施設Ａである中央郵便センター２０８、および郵便施設Ｂである分散型郵便センター２１０を有する。顧客インターフェイス２００で、顧客が、任意の入力ユニット２０２を用いて、ネットワーク接続２０４によりネットワーク２０６を介して中央郵便センター２０８の中央コンピュータ２１４にデータを送信することができる。中央コンピュータ２１４は、一方では、顧客および注文データならびに全ての支払業務の管理を行い、他方では、注文の調整を行う。
【００９４】
中央コンピュータ２１４は、注文データを別の別途ワーク接続２０４を介して１つまたはいくつかの分散型郵便センター２１０の各作成コンピュータ２１６に送信する。分散型郵便センター２１０の始業は、各手紙受取人の確認によって行われる。従って、個々の分散型郵便センター２１０は、分散型郵便センター２１０の処理機２１８と発送の準備ができた文書２２０の物理的受取人との間の配達時間を可能な限り短くし、かつ配達作業を可能な限りコスト効率を最大化するために、様々な配達地域２２２に位置している。従って、例えば、分散型郵便センター２１０は、各手紙受取人に地位的にサービスを提供するために、米国の東海岸および西海岸に位置している。反対に、個々の分散型郵便センター２１０は、いくつかのより狭い配達地域２２２にサービスを提供することもできる。従って、例えば、２つの別個の近隣国、例えば、ルクセンブルグとベルギーもしくはリヒテンシュタインとスイス、または受注量の少ない大陸の２カ国、例えば、リベリアとマラウイなどで手紙の配達を行う１つの共通の分散型郵便センター２１０を設置しなければならない。
【００９５】
一見して明らかなように、この例示的な実施形態における電子注文処理作業は、一方では、注文管理システム２１２で局所的に行われ、他方では、分散式に個々の作成コンピュータ２１６で行われる。
【００９６】
図１６によるダイヤグラムから分かるように、顧客インターフェイス２００側での注文の開始２３０の後、データ記録作成作業２３２およびこれに続く中央郵便センターへのデータ記録送信作業２３４が行われる。
【００９７】
中央郵便センター２０８において、顧客が既に登録されているか否かをチェックするために、ユーザクエリ２４０が最初に開始される。顧客が登録されていない場合は、登録２４２が、顧客に対して相応の勧誘または促進を行う。同時に、ユーザクエリ２６０が分散型郵便センター２１０で行われ、次いで、サンプル手紙作成作業２６２が開始され、紙のサンプル、ならびに手書き、エンボス加工、穴あけ、およびスタンプなどのサンプルを含むサンプル手紙が、サンプル手紙発送作業２６４によって新規顧客に発送される。
【００９８】
既に登録されている顧客の場合は、データ記録割り当て作業２４４が、ユーザクエリ２４０の後に中央郵便センター２０８で行われ、現在の注文に一致する分散型郵便センター２１０が選択される。その後すぐに、現在の注文データ記録の分散型郵便センター２１０への送信が、データ記録送信作業２４６によって行われる。
【００９９】
分散型郵便センター２１０では、最初に手紙作成作業２６６が行われ、次いで手紙発送作業２６８が行われる。既に上記説明されたように、分散型郵便センター２１０の適切な選択により、一方では、国内の郵便料を支払うだけで良いため、手紙発送作業２６８が、外国に居住する顧客に対しても安価に行われ、他方では、地域に設置された分散型郵便センター２１０によって、必要な配達時間が厳密に分かるため、配達される手紙の比較的正確なスケジューリングが可能である。これに関連して、外国に居住する顧客は、例えば、祝い事のグリーティングカードの受取日を非常に簡単に決定することができる。従って、休暇のグリーティングカードを送る場合、前もって自宅で作成し、休暇と一致するように文書を送る年月日を選択することも可能である。
【０１００】
分散型郵便センター２１０での手紙作成作業２６６の後、依頼人が、発送の準備ができた仕上がった文書２２０の写真を要求していたか否かを確認するために写真クエリ２７０がさらに行われる。写真クエリ２７０の肯定または否定によって、状態報告２７２、２７４が発行され、これにより、中央郵便センター２０８に対する応答が発行される。応答が発行されたら、送り状作成作業２４８および送り状発送作業２５０が、中央郵便センター２０８で開始される一方、個々のステップについての状態報告２３６が、顧客インターフェイス２００に表示される。ここで、例えば、カメラ１０６によって記録することができる対応する証拠写真が問い合わせられることもあるが、ここでは、必要に応じて、書き込み作業の全てのフイルムを利用できることも理解されたい。
【０１０１】
中央郵便センター２０８でのデータ記録割り当て作業２４４およびデータ記録送信作業２４６の最中に、図１７に例として例示されているいくつかのプロセスステップが行われる。このために、データ記録配布作業３００の後、最初に、データ記録受信作業３０２が行われ、注文データ記録が、顧客によって中央郵便センター２０８に送信される。
【０１０２】
受取人確認作業３０４が第１のステップで行われ、続いて、最初の受取人クエリ３０６が行われる。最初の受取人クエリ３０６は、分散型郵便センター２１０が受取人の国に設置されているか否かを確認する。受取人の国に設置されていない場合は、受取人割り当て作業３０８が行われ、注文データが、受取人の国の大陸に設置された分散型郵便センター２１０に割り当てられる。
【０１０３】
受取人クエリ３０６が肯定の場合は、別の受取人クエリ３１０が行われ、受取人の国にいくつかの分散型郵便センター２１０が存在するかを確認する。この確認が否定の場合は、受取人割り当て作業３１２が行われ、注文データの記録が、受取人の国の対応する分散型郵便センター２１０に割り当てられる。
【０１０４】
受取人クエリ３１０が肯定の場合は、受取人割り当て作業３１４が行われ、受取人の居住地に地位的に最も近い分散型郵便センター２１０が特定される。分散型郵便センター２１０に対するデータ記録通信作業３１８が行われる前に、相乗効果の利点を得て送信効率および作成プロセスを向上させるために、データ統合作業３１６で、存在するいくつかの注文データ記録を組み合わせて注文パケットにする。
【０１０５】
図１８から分かるように、分散型郵便センター２１０での注文処理作業４００中に、最初にデータ記録受信作業４０２が行われ、次いで、注文計画作業４０４が行われ、内部注文データが作成され、この注文が全作成プロセスに統合される。その後すぐに、処理機に対する注文送信作業４０６が行われ、注文の開始に直結した注文転送作業４０８が実行される。
【０１０６】
処置機での個々のシート作成作業４１０が完了したら、写真クエリ４１２が行われ、このクエリが肯定の場合は、注文の写真が作成される。注文写真の作成の前に、表紙クエリ４１４が実行され、このクエリが肯定の場合は、写真作成作業４１６が行われ、注文の表紙の写真が構築されて保存される。表紙クエリ４１４が否定と決定されたら、各個の注文シートについての写真作成作業４１８が行われる。
【０１０７】
写真クエリおよび写真作成作業４１６、４１８の後に、写真送信作業４２０が行われ、作成された写真が注文データに連結される。これに続いて、さらなるプロセスシーケンスで注文転送作業４２２が行われる。これに続いて、広告クエリ４２４および商品券クエリ４２８のさらなる２つのクエリが行われる。それぞれのクエリが肯定の場合は、広告作成作業４２６および／または商品券作成作業４３０が行われる。
【０１０８】
注文または注文シートが無事に完了したら、封筒出力作業４３８を伴う挿入作業４３２が行われる。挿入作業４３２と封筒出力作業４３８との間に、さらなる写真クエリ４３４が存在し、これにより、この写真クエリ４３４が肯定の場合は、封入物が入れられた封筒の写真が作成され、写真送信作業４３６が開始され、これにより、作成された写真が注文制御装置に送信され、これが注文データに連結される。
【０１０９】
図１８に示されているプロセスに類似した注文処理作業５００、データ記録受信作業５０２、注文計画作業５０４、注文送信作業５０６、および注文転送作業５０８が、図１９によるダイヤグラムから明らかなように、最初に印刷クエリ５１２によって実行された後に、個々のシート作成作業５１０が、分散型郵便センター２１０で行われる。印刷クエリ５１２は、文章および数字がプリンタ１０２によって作成される印刷作業５１４が行われるか否かを最初にチェックする。
【０１１０】
これに続いて、原稿書き込みクエリ５１６が行われ、このクエリが肯定の場合は、原稿作成作業５１８が行われる。原稿作成作業５１８は、書き込みロボット１１０による手書き文章の作成のためのプリンタ１０２による印刷に加えてまたは代替として役立つ。サインクエリ５２０が行われて肯定である場合は、書き込みロボット１１０が、サイン作成５２２にも使用される。一見して明らかなように、後続の処理ステップ、例えば、エンボス加工クエリ５２４、穴あけクエリ５２８、またはスタンプクエリ５３２も、個々のシート作成作業５１０の存在するクエリの全シーケンスの範囲内の代替シーケンスで行うことができる。最終的に選択されるシーケンスは、処理機１００における各切断ロボット１０８もしくは書き込みロボット１１０の構成、またはエンボス加工機１５０および他の装置もしくは処理ステーションの構成によって決まり、この場合、特定の処理ステップが、後続の加工ステップによって損なわれないように、例えば、密封が後に開封されないように、必要に応じて注意を払わなければならない。
【０１１１】
エンボス加工クエリ５２４が行われて肯定の場合は、エンボス加工作業５２６が、好ましくは、エンボス加工機１５０によって行われる。これに類似して、穴あけ作業５３０またはスタンプ作業５３４も、各クエリに従って行われる。既に上記説明されたように、穴あけ作業５３０は、切断ロボット１０８が穴あけ器具を備えている場合は、この切断ロボット１０８によって行うこともできる。これに関連して、切断クエリをここに設けることもでき、これにより切断作業が開始されることを理解されたい。
【０１１２】
スタンプクエリが行われ、肯定の場合にはスタンプ作業５３４がスタンプロボット１８０によって開始され、次いで、透かしクエリ５３６が行われる。この透かしクエリ５３６の後の透かし作成５３８は、必要に応じて、透かしを作成するために上記説明されたスプレーヘッド１４６を使用することができる。
【０１１３】
１枚のシート作成作業５１０の範囲で構成される作成プロセスの個々のステップは、最後の注文シートの達成が問い合わせられる続くシートクエリ５４０が肯定となるまで繰り返される。この場合、状態送信５４２が行われ、これに図１８に例示されているプロセスが続き、写真クエリ４１２が行われる。
【０１１４】
手書き処理作業６００およびサイン作成作業６３０の詳細なプロセスは、図２０および図２１のダイヤグラムに基づいてより詳細に説明される。
【０１１５】
手書き処理作業６００の開始後、まず手書きクエリ６０２が行われ、個人の手書きが使用されるか否かが確定される。手書きクエリ６０２が肯定の場合は、手書きアップロード６０４および原稿サンプル取得作業６０６が行われ、顧客が、自身の手書きを顧客インターフェイスを介して送信することができる。原稿サンプル取得作業６０６の直後に、原稿サンプル分析６０８および手書き最適化作業６１０が行われ、顧客の原稿または個々の文字が分析され、最適化され、そして必要に応じて修正される。次いで、この確定された手書きまたは手書きの確定された文字セットが、文字セット作成システム６１２で新たな文字セットとして保存され、そして文字セット選択作業６１４の後に、文字セット送信作業６２６に進む。
【０１１６】
手書き処理作業６００の中で手書きクエリ６０２が行われて肯定の場合は、原稿コレクションクエリ６１６が開始される。原稿コレクションクエリ６１６が肯定の場合には、手書きアップロード６１８が同様に行われ、続いて原稿サンプル比較６２０が行われ、顧客の手書きに類似した手書き文字セットが、文字セット選択作業６２２によって原稿コレクションから選択される。最終的に、原稿コレクションクエリ６１６が行われて否定の場合は、顧客は、手作業の文字セット選択作業６２４の選択肢を有する。
【０１１７】
図２１によるプロセスシーケンスにおけるサイン作成作業６３０中に、任意選択で個人のサインが行われる、または用意された文字セットからのサインの選択の可能性もある。
【０１１８】
個人のサインの場合は、まずサインのアップロード６３２が行われる。サインのアップロード６３２の後、原稿サンプル取得作業６０６および原稿サンプル分析６０８に類似したサイン取得作業６３４およびサイン分析６３６が行われる。サイン分析６３６に対応して、書き込み機器制御作業６４４を予め決定することができる。
【０１１９】
用意された文字セットからのサインの選択の可能性の場合は、まず書き込み機器選択作業６３８が行われる。書き込み機器選択作業６３８と共に、文字セット選択作業６４０が、さらに開始されるが、この開始は、書き込み機器および手書き文字セットの選択、書き込み機器、即ち書き込みロボット１１０またはこの書き込みロボット１１０を制御するコンピュータユニットへの送信作業６４２が無事に終了した後である。
【０１２０】
次いで、書き込み機器制御作業６４４によって、サイン実行作業６４６でサインを実行することができ、図１９に示されているプロセスを継続することができる。
【０１２１】
顧客インターフェイス２００の構造を、図２２〜図３２に基づいてより詳細に説明する。図２２による一次レベル７００では、まずいくつかの二次インターフェイスの選択が行われる。全顧客インターフェイスを、パラメータ空間またはパラメータ行列として設定し、個々の選択可能な二次インターフェイスを、特定のパラメータを持つパラメータベクトルとしてファイルすることができる。従って、プレビュー７０２に加えて、まず、手紙パラメータ７０４および書き込みオプション７０６の二次インターフェイスを、一次レベル７００で選択することができる。
【０１２２】
手紙パラメータ７０４では、同様にいくつかのレベルに配列される様々な個々のパラメータを、図２３〜図２６に従って選択することができる。従って、例えば、二次便箋インターフェイス７０８を選択することができ、そこで、紙情報７１０を決定することができる。その１つが紙情報７１０であるパラメータのオプションの選択と共に、応答も、顧客インターフェイス２００のグラフ表示における各オプションの表示価格によって、顧客に即座に送られる。注文の合計金額を一次レベル７００で読み取ることができる。
【０１２３】
さらに、手紙パラメータ７０４のインターフェイスは、機械原稿７１２の小見出しを含む。これに関連して、原稿オプション７１４およびグループ割り当て７１６について情報を決定することができ、特定の原稿パラメータ、例えば、太字またはイタリック原稿などを、手紙の個々のフィールド、例えば、差出人または受取人など、または全フィールドに対して選択することができる。これに類似して、選択された文章の活字書体についての原稿オプション７１８およびグループ割り当て７２０を、機械原稿７１２のインターフェイス内で行うことができる。必要に応じて、プリンタを即座に作動させることができる所定の形式のファイルの単なる明確化をこの位置で行うことができる。インターフェイス全体のオペレータ制御を促進して、顧客側の反復注文をより良く処理できるようにするために、各二次インターフェイスで選択されたパラメータを標準パラメータとして設定することも可能である。
【０１２４】
手書き７２２または書き込み機器オプション７３２の選択と共に、説明されたインターフェイスの本発明による利点が、これに関連して、顧客が処理作業に使用される処理装置を具体的に選択する可能性を有するため達成される。従って、手書き７２２および書き込み機器オプション７３２の選択によって、書き込みロボット１１０または書き込みロボット形式に対する直接割り当てが行われ、この書き込みロボット１１０または書き込みロボット形式に、書き込みオプション７２４、７２８の両方およびグループ割り当て７２６、７３０も割り当てることができる。加えて、グループ割り当て７２６、７３０および原稿サンプル７３４は、選択された文字セットの顧客サンプルを示している。
【０１２５】
書き込みオプション７０６の中に、受取人データ７３６および文章７３８の値をさらに加えることができる。文書に添えられるサインは、サインオプション７４０および選択可能なサインデータ７４２によっても決定される。これに関連して、選択されたサインの標準値としての保存および各サインオプション７４０の価格の回答の両方を、同様に、即座に顧客に見えるようにすることができる。
【０１２６】
図１９による方法に必要な事項は、図２８〜図３１による書き込みオプション７０６でさらに決定される。従って、一方では、関連するエンボス加工文章７４６を伴うエンボス加工オプション７４４を選択し、そして他方では、エンボス加工位置７４８およびエンボス加工の数７５０を選択することも可能である。エンボス加工の数７５０の位置では、選択された頁のエンボス加工を決定することができ、エンボス加工位置７４８では、作成された個々のシートに対する選択されたエンボス加工の相対位置を決定することができる。
【０１２７】
エンボス加工オプション７４４に類似して、スタンプオプション７５２および透かしオプション７５８を、関連するスタンプオプション７５６または透かし位置７６２と共に決定することができる。エンボス加工文章７４６とは対照的に、スタンプパターン７５４または透かしパターン７６０を、スタンプまたは透かしについて選択することができ、スタンプパターン７５４では、スタンプの幅、傾き、または色も決定することができる。
【０１２８】
さらに、穴あけオプション７６４も、書き込みオプション７０６の中から決定することができ、この穴あけオプション７６４は、穴あけの選択７６６および穴あけ位置７７０を有し、この穴あけ位置７７０は、個々のシートにおける相対位置を決定する。穴あけの選択７６６は、事前設定穴あけパターン７６８をさらに含み、個々の顧客の穴あけパターンの詳細もこの位置で決定することができる。
【０１２９】
顧客インターフェイス２００について上記説明されたパラメータの他に、図３２による一次レベル７００における送信オプションに加えて、広告オプション７７２および商品券オプション７７８を作動させることができる。従って、一方で、選択された広告オプション７７２により、広告写真７７６の特定の選択を行うことができる広告選択７７４で選択された広告によって文書の価格を下げることが可能であり、他方では、例えば、祝祭時に、商品券選択作業７８０および関連する商品券写真７８２によって受取人の商品券を選択することが可能である。これに関連して、顧客インターフェイス２００は、個々の文書の正確に計画された発送に加えて、支払が受取人のために準備され、依頼人が、受取人から遠く離れているだけではなく、時間とコストを大幅に削減してメッセージおよびプレゼントを送ることができるため、本発明に従ったさらに有利な構成を含む。
【０１３０】
これに関連して、図面に基づいて示されている顧客インターフェイスの全てのオプションおよび手紙処理のプロセスステップは、必ずしも追加的に実施しなければならないわけではないことを理解されたい。従って、顧客による単純なオペレータ制御およびプロセスの実行のために、プロセスステップと同様に、顧客インターフェイスの個々のパラメータを省くこともできる。同様に、さらなる補助的なプロセスステップも容易に設けることができる。また、例えば、オペレータの利便性に対して個々のプロセスステップを適切に適合させるためだけではなく、個々の処理ステーションによる要件も満たすようにするために、個々のプロセスステップを変更することも可能である。
【符号の説明】
【０１３１】
１００  処理機
１０１  分離装置
１０２  プリンタ
１０３  連続紙ロール
１０４  用紙供給部
１０６  カメラ
１０８  切断ロボット
１１０  書き込みロボット
１１１  器具マガジン
１１２  同封フィーダ
１１４  同封物
１１６  挿入機
１１８  封筒
１２０  発送の準備ができた文書
１２１  封筒および平面アイテム
１２２  保管ベルト
１３０  便箋
１３２  コンベヤベルト
１３４  フォロア
１３６  切断ヘッド
１３８  切り抜き
１４０  スタイラス
１４１  筆
１４２  インクタンク
１４４  補充管
１４６  スプレーヘッド
１４８  気送管
１５０  エンボス加工機
１５２  サーボモータ
１５４  歯付き歯車
１５６  歯
１５８  エンボス加工シリンダ
１６０  支持ブロック
１６２  エンボス加工ホイール
１６４  エンボス加工リム
１６６  凸書体
１６８  凹書体
１７０  書体キャリヤ
１８０  スタンプロボット
１８２  スタンプ
１８４  染料ステーション
１８６  清掃ステーション
１８８  染料ヘッド
１９０  シートカード
１９２  回転ステーション
１９４  トレー
２００  顧客インターフェイス
２０２  入力ユニット
２０４  ネットワーク接続
２０６  ネットワーク
２０８  中央郵便センター
２１０  分散型郵便センター
２１２  注文管理
２１４  中央コンピュータ
２１６  作成コンピュータ
２１８  処理機
２２０  発送の準備ができた文書
２２２  配達地域
２３０  注文開始
２３２  データ記録作成
２３４  データ記録送信
２３６  状態表示
２４０  ユーザクエリ
２４２  登録
２４４  データ記録割り当て
２４６  データ記録送信
２４８  送り状作成
２５０  送り状発送
２６０  ユーザクエリ
２６２  サンプル手紙作成
２６４  サンプル手紙発送
２６６  手紙作成
２６８  手紙発送
２７０  写真クエリ
２７２  状態報告
２７４  状態報告
３００  データ記録配布
３０２  データ記録受信
３０４  受取人確認
３０６  受取人クエリ
３０８  受取人割り当て
３１０  受取人クエリ
３１２  受取人割り当て
３１４  受取人割り当て
３１６  データ記録統合
３１８  データ記録送信
４００  注文処理
４０２  データ記録受信
４０４  注文計画
４０６  注文送信
４０８  注文転送
４１０  個々のシート作成
４１２  写真クエリ
４１４  表紙クエリ
４１６  写真作成
４１８  写真作成
４２０  写真送信
４２２  注文転送
４２４  広告クエリ
４２６  広告作成
４２８  商品券クエリ
４３０  商品券作成
４３２  挿入
４３４  写真クエリ
４３６  写真送信
４３８  封筒出力
５００  注文処理
５０２  データ記録受信
５０４  注文計画
５０６  注文送信
５０８  注文転送
５１０  １枚のシート作成
５１２  印刷クエリ
５１４  印刷
５１６  原稿書き込みクエリ
５１８  原稿作成
５２０  サインクエリ
５２２  サイン作成
５２４  エンボス加工クエリ
５２６  エンボス加工
５２８  穴あけクエリ
５３０  穴あけ
５３２  スタンプクエリ
５３４  スタンプ
５３６  透かしクエリ
５３８  透かし作成
５４０  シートクエリ
５４２  状態通信
６００  手書き処理
６０２  手書きクエリ
６０４  手書きアップロード
６０６  原稿サンプル取得
６０８  原稿サンプル分析
６１０  手書き最適化
６１２  文字セット作成
６１４  文字セット選択
６１６  原稿コレクションクエリ
６１８  手書きアップロード
６２０  原稿サンプル比較
６２２  文字セット選択
６２４  手作業の文字セット選択
６２６  文字セット送信
６３０  サイン作成
６３２  サインアップロード
６３４  サイン取得
６３６  サイン分析
６３８  書き込み機器選択
６４０  文字セット選択
６４２  書き込み機器送信
６４４  書き込み機器制御
６４６  サイン実行
７００  一次レベル
７０２  プレビュー
７０４  手紙パラメータ
７０６  書き込みオプション
７０８  手紙パラメータ
７１０  紙情報
７１２  機械原稿
７１４  原稿オプション
７１６  グループ割り当て
７１８  原稿オプション
７２０  グループ割り当て
７２２  手書き
７２４  手書きオプション
７２６  グループ割り当て
７２８  手書きオプション
７３０  グループ割り当て
７３２  書き込み機器オプション
７３４  原稿サンプル
７３６  受取人データ
７３８  文章
７４０  サインオプション
７４２  サインデータ
７４４  エンボス加工オプション
７４６  エンボス加工文書
７４８  エンボス加工位置
７５０  エンボス加工の数
７５２  スタンプオプション
７５４  スタンプパターン
７５６  スタンプ位置
７５８  透かしオプション
７６０  透かしパターン
７６２  透かし位置
７６４  穴あけオプション
７６６  穴あけ選択
７６８  穴あけパターン
７７０  穴あけ位置
７７２  広告オプション
７７４  広告選択
７７６  広告写真
７７８  商品券オプション
７８０  商品券選択
７８２  商品券写真
【図１】
2014531988.tif 000003
【図２】
2014531988.tif 000004
【図３】
2014531988.tif 000005
【図４】
2014531988.tif 000006
【図５】
2014531988.tif 000007
【図６】
2014531988.tif 000008
【図７】
2014531988.tif 000009
【図８】
2014531988.tif 000010
【図９】
2014531988.tif 000011
【図１０】
2014531988.tif 000012
【図１１】
2014531988.tif 000013
【図１２】
2014531988.tif 000014
【図１３】
2014531988.tif 000015
【図１４】
2014531988.tif 000016
【図３３】
2014531988.tif 000017
【図３４】
2014531988.tif 000018
【図３５】
2014531988.tif 000019
【図３６】
2014531988.tif 000020
【図３７】
2014531988.tif 000021
【図３８】
2014531988.tif 000022
【図３９】
2014531988.tif 000023
【図１５】
2014531988.tif 000024
【図１６】
2014531988.tif 000025
【図１７】
2014531988.tif 000026
【図１８】
2014531988.tif 000027
【図１９】
2014531988.tif 000028
【図２０】
2014531988.tif 000029
【図２１】
2014531988.tif 000030
【図２２】
2014531988.tif 000031
【図２３】
2014531988.tif 000032
【図２４】
2014531988.tif 000033
【図２５】
2014531988.tif 000034
【図２６】
2014531988.tif 000035
【図２７】
2014531988.tif 000036
【図２８】
2014531988.tif 000037
【図２９】
2014531988.tif 000038
【図３０】
2014531988.tif 000039
【図３１】
2014531988.tif 000040
【図３２】
2014531988.tif 000041
【国際調査報告】
2014531988.tif 000042
2014531988.tif 000043
2014531988.tif 000044
2014531988.tif 000045
2014531988.tif 000046
2014531988.tif 000047
2014531988.tif 000048
2014531988.tif 000049